(57)【要約】【課題】簡単な構成で小動物を運動させることができる小動物用遊戯システムを提供する。【解決手段】小動物用遊戯システムは、マット２の表面２ａ上にスポット状に光を照射する光源部４と、この光源部４の光照射方向を変更する照射位置変更手段５と、この照射位置変更手段５を制御する制御部６とを備えている。マット２の表面２ａ上には、光変換部３が複数個所に設けられており、これらの光変換部３に光源部４からの光が順番に照射されるようになっている。【選択図】図１
2008237076.tif 000002
【特許請求の範囲】
【請求項１】
被照射面上にスポット状に光を照射する光源部と、この光源部の光照射方向を変更して前記被照射面上の光照射位置を変更する照射位置変更手段と、この照射位置変更手段を制御する制御部とを備え、
前記被照射面上には、前記光源部からの光を受けて可視光線を放射する光変換部が複数個所に設けられており、前記制御部は、前記光源部からの光が前記複数の光変換部のうちの２つ以上に順番に照射されるように前記照射位置変更手段を制御するものであることを特徴とする小動物用遊戯システム。
【請求項２】
前記光源部が照射する光は、紫外線であり、前記各光変換部は、紫外線を受けて可視光線を放射する蛍光材料で構成されていることを特徴とする請求項１に記載の小動物用遊戯システム。
【請求項３】
前記各光変換部は、他の光変換部と異なる形状または異なる大きさを有していることを特徴とする請求項１または２に記載の小動物用遊戯システム。
【請求項４】
前記光源部は、第１波長域の光と第２波長域の光とを照射可能なものであり、前記複数の光変換部のうちの少なくとも１つは、第１波長域の光を受けて可視光線を放射する第１発光部と、第２波長域の光を受けて可視光線を放射する第２発光部とを有していることを特徴とする請求項１〜３のいずれか１項に記載の小動物用遊戯システム。
【請求項５】
前記被照射面は、室内の床面であることを特徴とする請求項１〜４のいずれか１項に記載の小動物用遊戯システム。
【請求項６】
前記被照射面は、室内の床面に敷かれるマットの表面であることを特徴とする請求項１〜４のいずれか１項に記載の小動物用遊戯システム。
【発明の詳細な説明】
【技術分野】
【０００１】
本発明は、小動物を運動させるための小動物用遊戯システムに関するものである。
【背景技術】
【０００２】
ペットである例えば犬や猫等の小動物は、例えば屋内で飼われる等の要因で運動不足になることがある。そこで、小動物の運動不足を解消するための遊戯具等が従来から色々と提案されてきている。
【０００３】
例えば特許文献１には、光を用いて小動物を運動させる光学式運動装置が記載されている。この光学式運動装置は、レーザ光を回転手段および反射手段で偏光することにより、レーザ軌跡で被照射体上に所望の図柄を描くものである。
【特許文献１】特開２００２−１７６８７３号公報
【発明の開示】
【発明が解決しようとする課題】
【０００４】
しかしながら、前記のようにレーザ軌跡で図柄を描くには、複雑な光学系を複雑に制御する必要がある。
【０００５】
本発明は、このような事情に鑑み、簡単な構成で小動物を運動させることができる小動物用遊戯システムを提供することを目的とする。
【課題を解決するための手段】
【０００６】
請求項１の発明は、被照射面上にスポット状に光を照射する光源部と、この光源部の光照射方向を変更して前記被照射面上の光照射位置を変更する照射位置変更手段と、この照射位置変更手段を制御する制御部とを備え、前記被照射面上には、前記光源部からの光を受けて可視光線を放射する光変換部が複数個所に設けられており、前記制御部は、前記光源部からの光が前記複数の光変換部のうちの２つ以上に順番に照射されるように前記照射位置変更手段を制御するものであることを特徴とする小動物用遊戯システムである。
【０００７】
請求項２の発明は、請求項１に記載の小動物用遊戯システムにおいて、前記光源部が照射する光は、紫外線であり、前記各光変換部は、紫外線を受けて可視光線を放射する蛍光材料で構成されていることを特徴とするものである。
【０００８】
請求項３の発明は、請求項１または２に記載の小動物用遊戯システムにおいて、前記各光変換部は、他の光変換部と異なる形状または異なる大きさを有していることを特徴とするものである。
【０００９】
請求項４の発明は、請求項１〜３のいずれか１項に記載の小動物用遊戯システムにおいて、前記光源部は、第１波長域の光と第２波長域の光とを照射可能なものであり、前記複数の光変換部のうちの少なくとも１つは、第１波長域の光を受けて可視光線を放射する第１発光部と、第２波長域の光を受けて可視光線を放射する第２発光部とを有していることを特徴とするものである。
【００１０】
請求項５の発明は、請求項１〜４のいずれか１項に記載の小動物用遊戯システムにおいて、前記被照射面は、室内の床面であることを特徴とするものである。
【００１１】
請求項６の発明は、請求項１〜４のいずれか１項に記載の小動物用遊戯システムにおいて、前記被照射面は、室内の床面に敷かれるマットの表面であることを特徴とするものである。
【発明の効果】
【００１２】
請求項１の発明によれば、被照射面上の複数個所に光変換部を設け、これらの光変換部のうちの２つ以上に光源部からの光を順番に照射するようにしたから、光を受けて可視光線を放射する光変換部が順番に変わっていくようになる。このため、可視光線を放射する、すなわち明るく見える光変換部が移っていくのを見た小動物は、明るく見える光変換部を追跡するようになる。従って、照射位置変更手段を制御する、換言すれば光源部の光放射方向を変更するだけの簡単な構成で、小動物を運動させることができるようになる。
【００１３】
請求項２の発明によれば、光源部から照射される光が紫外線であるので、その光は見えず、紫外線が照射された光変換部のみが見えるようになり、意外性を得ることができる。
【００１４】
請求項３の発明によれば、明るく見える光変換部が移っていくに連れて、その明るく見える形状又は大きさが変わるようになるため、小動物に飽きさせなくすることができる。
【００１５】
請求項４の発明によれば、光照射位置を所定の光変換部に設定したままで、光源部から照射される光を第１波長域の光から第２波長域の光に切り替えれば、切り替え前は第１発光部が見えていたのに切り替え後は第２発光部が見えるようになる。すなわち、所定の光変換部の見え方を変化させることができ、小動物に飽きさせなくすることができる。
【００１６】
請求項５の発明によれば、屋内で飼う小動物に適した構成とすることができる。
【００１７】
請求項６の発明によれば、不使用のときにマットを畳んで収納したりマットを洗濯したりすることができる。
【発明を実施するための最良の形態】
【００１８】
以下、本発明を実施するための最良の形態について、図面を参照しながら詳細に説明する。
【００１９】
図１および図２に、本発明の一実施形態に係る小動物用遊戯システムを適用した室１を示す。なお、本明細書では、図１の左側を左方、右側を右方というとともに、奥側を後方、手前側を前方という。
【００２０】
前記室１は、上下方向で対向する天井面１ｄおよび床面１ａ、左右方向で対向する一対の側壁面１ｃ、前後方向で対向する図略の手前壁面および奥壁面１ｂを有しており、これらの面によって内部の居住空間が囲繞されている。
【００２１】
前記小動物用遊戯システムは、床面１ａに敷かれるマット２と、奥壁面１ｂに組み込まれ、マット２の表面（被照射面）２ａ上にスポット状に光を照射する光源部４とを備えている。また、光源部４は、図３に示すような照射位置変更手段５を介して奥壁面１ｂに取り付けられていて、その光照射方向が変更可能となっている（図１中の矢印参照）。
【００２２】
前記マット２は、奥壁面１ｂに沿って床面１ａ上に載置される長方形板状の本体部２１と、この本体部２１の長手方向の両端部から側壁面１ｃに沿って立ち上がる立上り部２２とを有している。そして、本体部２１の上面２１ａおよび立上り部２２の内側面２２ａで前記表面２ａが構成されている。
【００２３】
マット２は、例えば猫や犬等の小動物Ｐが動き易くかつ爪を傷めない素材（例えばコルク等）で構成されていることが好ましい。また、本体部２１の幅は、当該本体部２１の上に小動物Ｐが乗って運動するという観点から、１〜５ｍ程度に設定されていることが好ましい。なお、マット２としては、立上り部マット２２を省略するとともに長さおよび幅を共に１〜５ｍ程度に設定した矩形状のものであってもよい。
【００２４】
前記光源部４としては、光を離れた箇所に照射しても光束があまり拡散しないことが要件となり、本実施形態では、指向性の強い紫外線を放射可能なＵＶ−ＬＥＤが採用されている。なお、光源部４としては、超高圧水銀ランプやメタルハライドランプを用いてもよい。また、放電灯を光源として用いる場合には、放電灯から光ファイバーで光を導光するようにして、その光ファイバーの先端を光源部４とすることも可能である。
【００２５】
光源部４への電力の供給は、家庭用コンセント等からケーブルを介して行われるようになっていてもよく、光源部４に装着される電池によって行われるようになっていてもよい。
【００２６】
前記照射位置変更手段５は、光源部４の光照射方向を変更して前記表面２ａ上の光照射位置を変更するものであり、図３に示すような制御部６によって制御されるようになっている。照射位置変更手段５としては、例えば図４に示すような互いに直交する２軸の回転軸回りにそれぞれ光源部４を回転可能な公知の駆動手段等を用いることが可能である。そして、この照射位置変更手段５によって光源部４の光照射方向が変更されることにより、光源部４から放射される紫外線は、本体部２１の上面２１ａまたは立上り部２２の内側面２２ａの所定位置にスポット状に照射されるようになる。
【００２７】
前記本体部２１の上面２１ａ上および立上り部２２の内側面２２ａ上には、適所に複数の光変換部３が設けられている。各光変換部３は、光源部４からの紫外線を受けて可視光線を放射するものであり、蛍光材料または燐光材料で構成されている。
【００２８】
蛍光材料としては、例えば２，５−チオフェンジイルビス（５−ｔｅｒｔ−ブチル−１，３ベンゾキサゾール）等が挙げられ、燐光材料としては、例えば燐光性金属錯体（イリジウム錯体他）等が挙げられる。
【００２９】
また、各光変換部３は、他の光変換部３と異なる形状または異なる大きさを有している。具体的には、図２に示すように、ある光変換部３ａは、十字状の形状を有し、ある光変換部３ｂは、魚の形状を有し、ある光変換部３ｃは、楕円状の形状を有している。これらの形状の光変換部３を設けるには、マット２の表面２ａに蛍光材料または燐光材料を所望の図柄を描くように塗布して硬化させればよい。なお、光変換部３は、その形状が塗りつぶされたものであってもよいし、その形状の輪郭のみのものであってもよい。
【００３０】
前記制御部６は、予め設定された所定の順番に従って、光源部４からの紫外線が全ての光変換部３に順番に照射されるように照射位置変更手段５を制御する。この制御では、制御部６が一定時間ごとに照射位置変更手段５を駆動させる。なお、光源部４からの紫外線は、全ての光変換部３に順番に照射されるようになっている必要はなく、２つ以上の光変換部３に順番に照射されるようになっていればよい。または、照射対象が全ての光変換部３であるかそのうちのいくつかであるかが切り替えられるようになっていて、小動物の飼い主であるユーザーがそのどちらかを選択できるようになっていてもよい。
【００３１】
例えば、光変換部３に光源部４からの紫外線が照射される順番は、図５（ａ）に示すように８の字を描くような順番であってもよいし、図５（ｂ）に示すように複数個所に円を描くような順番であってもよいし、図５（ｃ）および図５（ｄ）に示すようにジグザグに進むような順番であってもよい。
【００３２】
前記のように照射位置変更手段５が制御部６に制御されると、紫外線を受けて可視光線を放射する光変換部３が順番に変わっていくようになる。このため、可視光線を放射する、すなわち明るく見える光変換部３が移っていくのを見た小動物Ｐは、明るく見える光変換部３を追跡するようになる。従って、照射位置変更手段５を制御する、換言すれば光源部４の光放射方向を変更するだけの簡単な構成で、小動物Ｐを運動させることができるようになる。
【００３３】
ここで、光源部４が照射する光は、紫外線でなくてもよく、例えば可視光線であっても青色の波長域を含むものであれば、光変換部３を励起して当該光変換部３から可視光線を放射させることができる。ただし、本実施形態のように、光源部４が照射する光が紫外線であれば、その光は見えず、紫外線が照射された光変換部３のみが見えるようになり、意外性を得ることができる。
【００３４】
また、各光変換部３は、他の光変換部３と異なる形状または異なる大きさを有しているので、明るく見える光変換部３が移っていくに連れて、その明るく見える形状又は大きさが変わるようになるため、小動物Ｐに飽きさせなくすることができる。
【００３５】
さらに、本実施形態では、光源部４からの光がマット２の表面２ａ上に照射されるようになっているので、不使用のときにマット２を畳んで収納したりマット２を洗濯したりすることができる。
【００３６】
なお、前記実施形態では、光源部４が奥壁面１ｂに組み込まれているが、光源部４は、什器の中に組み込まれていてもよいし、自立式の専用台に照射位置変更手段５を介して支持されていてもよい。光源部４が自立式の専用台に支持された構成であれば、夜間に屋外で使用することも可能になる。
【００３７】
また、前記実施形態では、制御部６が一定時間ごとに照射位置変更手段５を駆動させるようになっているが、マット２の本体部２１の適所に複数の圧力センサを埋め込み、これらの圧力センサで紫外線が照射されている光変換部３に小動物Ｐが近づいたことを検知するたびに制御部６が照射位置変更手段５を駆動させるようになっていてもよい。
【００３８】
さらに、制御部６が自動的に照射位置変更手段５を駆動させるようになっていなくても、例えばリモコン等により手動で制御部６に照射位置変更手段５を駆動させる操作信号を送信するようにしてもよい。
【００３９】
また、前記実施形態では、予め設定された所定の順番に従って光源部４からの紫外線が全ての光変換部３に順番に照射されるようになっていたが、制御部６は、例えばリモコン等でユーザーが任意の光変換部３を選択するたびにその光変換部３に光源部４からの紫外線が照射されるように、すなわちユーザーの選択する順番で２以上の光変換部３に順番に光源部４からの紫外線が照射されるように照射位置変更手段５を制御するようになっていてもよい。
【００４０】
また、光変換部３として、図７に示すように、同じ図柄が次第に小さくかつつぶれる形状の光変換部３ｄ〜３ｆを設けるようにしてもよい。このようにすれば、光変換部３ｄ、光変換部３ｅ、光変換部３ｆの順にまたはその逆に紫外線を照射すれば、小動物Ｐに対して明るく見える光変換部３が実際の距離よりも大きく移動するあるいは立体的に移動するように感じさせることができるようになる。
【００４１】
また、光源部４として、図８に示すように、第１波長域の光（例えば、波長域が３２０〜４００ｎｍの紫外線Ａ）と第２波長域の光（例えば、波長域が２８０〜３２０ｎｍの紫外線Ｂ）とを照射可能なものを採用するとともに、制御部６で光源部４の光を切り替えるようにしてもよい。さらに、複数の光変換部３のうちの少なくとも１つの光変換部３ｇを、第１波長域の光を受けて可視光線を放射する第１発光部３１と、第２波長域の光を受けて可視光線を放射する第２発光部３２とを有するものとする。図例では、第１発光部３１は、五角形の形状を有し、第２発光部３２は、リング状の形状を有している。
【００４２】
このようにすれば、光照射位置を所定の光変換部３ｇに設定したままで、光源部４から照射される光を第１波長域の光から第２波長域の光に切り替えれば、切り替え前は第１発光部３１が見えていたのに切り替え後は第２発光部３２が見えるようになる。すなわち、所定の光変換部３ｇの見え方を変化させることができ、小動物Ｐに飽きさせなくすることができる。
【００４３】
また、マット２を省略することも可能である。この場合には、床面１ａ上に光変換部３を設け、光源部４からの光を床面１ａ上に直接照射するようにすればよい。このようにすれば、屋内で飼う小動物Ｐに適した構成とすることができる。
【００４４】
また、図６に示すように、光源部４の光放射方向側にミラーやＸ−Ｙスキャナ等からなる偏光部を設け、この偏光部で照射位置変更手段５を構成することも可能である。
【図面の簡単な説明】
【００４５】
【図１】本発明の一実施形態に係る小動物用遊戯システムを適用した室を示す図である。
【図２】図１の要部拡大斜視図である。
【図３】小動物用遊戯システムのブロック図である。
【図４】照射位置変更手段の斜視図である。
【図５】（ａ）〜（ｄ）は光源部の光照射位置の軌跡を示す軌跡図である。
【図６】変形例の照射位置変更手段の概略構成図である。
【図７】変形例の光変換部が設けられたマットの斜視図である。
【図８】変形例の光変換部が設けられたマットの斜視図である。
【符号の説明】
【００４６】
１    室
１ａ  床面
２    マット
２ａ  表面（被照射面）
３，３ａ〜３ｇ  光変換部
３１  第１発光部
３２  第２発光部
４    光源部
５    照射位置変更手段
６    制御部
Ｐ    小動物
【図１】
2008237076.tif 000003
【図２】
2008237076.tif 000004
【図３】
2008237076.tif 000005
【図４】
2008237076.tif 000006
【図５】
2008237076.tif 000007
【図６】
2008237076.tif 000008
【図７】
2008237076.tif 000009
【図８】
2008237076.tif 000010